(57)【特許請求の範囲】
【請求項１】
絶縁板（１）と、該絶縁板（１）上に設定した中立位置（Ｎ）、第１位置（ＭＵ，ＭＤ）及び第２位置（ＡＵ，ＡＤ）間において移動自在な可動接片（２）と、前記絶縁板（１）上に設けた共通固定接点（１１）、第１固定接点（１２，１３）及び第２固定接点（１４，１５）とを備えた２段階操作スイッチ装置において、
共通固定接点（１１）と前記第１固定接点（１２，１３）とが摺動方向に並んだ第１領域（Ｚ１）を摺動する第１接片（２１）と、共通固定接点（１１）と前記第２固定接点（１４，１５）とが摺動方向に並んだ第２領域（Ｚ２）を摺動する第２接片（２２）とを前記可動接点（２）が有し、
前記第１領域（Ｚ１）における共通固定接点（１１）と第１固定接点（１２，１３）とが成す間隔（Ｗ１）に比べて前記第２領域（Ｚ２）における共通固定接点（１１）と第２固定接点（１４，１５）とが成す間隔（Ｗ２）を広く設定し、可動接片（２）が前記中立位置（Ｎ）から前記第１位置（ＭＵ，ＭＤ）に移動した際に、可動接片（２）が第１領域（Ｚ１）の第１固定接点（１２，１３）と、第２領域（Ｚ２）の共通固定接点（１１）とに接続して第１固定接点（１２，１３）及び共通固定接点（１１）を橋絡するよう、共通固定接点（１１）及び可動接片（２）の少なくとも一方の形状を設定したことを特徴とする２段階操作スイッチ装置。
【請求項２】
前記請求項１記載の発明において、
前記共通固定接点（１１）の第１領域（Ｚ１）側の幅（Ｗ３）に比べて第２領域（Ｚ２）側の幅（Ｗ４）を広く設定したことを特徴とする２段階操作スイッチ装置。
【請求項３】
前記請求項１又は２記載の発明において、
前記中立位置（Ｎ）がパワーウインドの中立位置に対応し、第１位置（ＭＵ，ＭＤ）がパワーウインドのマニュアル操作位置に対応し、第２位置（ＡＵ，ＡＤ）がパワーウインドのオート操作位置に対応していることを特徴とする２段階操作スイッチ装置。
【発明の詳細な説明】
【０００１】
【発明の属する技術分野】
この発明は、マニュアル操作及びオート操作位置を設けたパワーウインドユニット等に好適な２段階操作スイッチ装置の改良に関するものである。
【０００２】
【従来の技術】
従来のマニュアル操作及びオート操作位置を設けたパワーウインドユニット等に使用する２段階操作スイッチ装置は、共通固定接点と、マニュアル操作位置において可動接片が接触する第１固定接点と、オート操作位置において可動接片が接触する第２固定接点とを備えており、可動接片は常に共通固定接点に接触した構造であった。尚、従来の２段階操作スイッチ装置は、例えば特開平７−１５８３３９号公報等に示している。
【０００３】
【発明が解決しようとする課題】
しかしながら、特にスライドスイッチ構造を採用した２段階操作スイッチ装置は、可動接片を常に共通固定接点に接触させようとした場合、共通固定接点と第１固定接点若しくは第２固定接点とが成す間隔が狭くなり、共通固定接点と各固定接点との間の絶縁性能を正常に保つことが困難で有った、
【０００４】
この発明は、上記した課題を解決するものであり、共通固定接点と各固定接点とが成す間隔を極力広くし、これにより共通固定接点と各固定接点との間の絶縁性能を正常に保つようにすることを目的としたものである。
【０００５】
上記課題を解決するために、まず請求項１記載の発明は、絶縁板（１）と、該絶縁板（１）上に設定した中立位置（Ｎ）、第１位置（ＭＵ，ＭＤ）及び第２位置（ＡＵ，ＡＤ）間において移動自在な可動接片（２）と、前記絶縁板（１）上に設けた共通固定接点（１１）、第１固定接点（１２，１３）及び第２固定接点（１４，１５）とを備えた２段階操作スイッチ装置において、共通固定接点（１１）と前記第１固定接点（１２，１３）とが摺動方向に並んだ第１領域（Ｚ１）を摺動する第１接片（２１）と、共通固定接点（１１）と前記第２固定接点（１４，１５）とが摺動方向に並んだ第２領域（Ｚ２）を摺動する第２接片（２２）とを前記可動接点（２）が有し、前記第１領域（Ｚ１）における共通固定接点（１１）と第１固定接点（１２，１３）とが成す間隔（Ｗ１）に比べて前記第２領域（Ｚ２）における共通固定接点（１１）と第２固定接点（１４，１５）とが成す間隔（Ｗ２）を広く設定し、可動接片（２）が前記中立位置（Ｎ）から前記第１位置（ＭＵ，ＭＤ）に移動した際に、可動接片（２）が第１領域（Ｚ１）の第１固定接点（１２，１３）と、第２領域（Ｚ２）の共通固定接点（１１）とに接続して第１固定接点（１２，１３）及び共通固定接点（１１）を橋絡するよう、共通固定接点（１１）及び可動接片（２）の少なくとも一方の形状を設定したことを特徴とする２段階操作スイッチ装置を提供する。
【０００６】
また、請求項２記載の発明は、前記共通固定接点の第１領域側の幅に比べて第２領域側の幅を広く設定したことを特徴とする２段階操作スイッチ装置を提供する。
【０００７】
また、請求項３記載の発明は、前記中立位置がパワーウインドの中立位置に対応し、第１位置がパワーウインドのマニュアル操作位置に対応し、第２位置がパワーウインドのオート操作位置に対応していることを特徴とする２段階操作スイッチ装置を提供する。
【０００８】
【発明の実施の形態】
この発明の実施形態を、添付図に基づき説明する。図４は、この発明に係る２段階操作スイッチ装置Ｓを内蔵したパワーウインドユニットを示したものである。該パワーウインドユニットは、２段階操作スイッチ装置Ｓの他に、カバー６、基板７、モジュールスイッチ８及びボトムカバー９を有している。更に、アッパカバー６は、その上部にノブ６１，６２，６３，６４，６５，６６と、コイルスプリング６１１，６２２，６３２，６４２，６５２，６６２と、スチールボール６２１，６３１，６４１，６５１，６６１と、板バネ６１２と、ピン６１３とを装着している。また、ノブ６１，６２，６３，６４，６５，６６は各々操作子６１４，６２３，６３３，６４３，６５３，６６３を有し、該各操作子６１２〜６６３をアッパカバー６に設けた枠体６１５，６２４，６３４，６４４，６５４，６６４を介して２段階操作スイッチ装置Ｓやモジュールスイッチ８に係合させている。
【０００９】
２段階操作スイッチ装置Ｓは、絶縁板１、可動接片２、操作子３、カバー４及びケース５によって構成しており、リード端子１６により前記基板７に半田付けしている。図１〜図３は、該２段階操作スイッチ装置Ｓの平面図を示したものであり、同図では操作子３、カバー４及びケース５の図示を省略している。図１〜図３において、絶縁板１はその上面に共通固定接点１１、第１固定接点１２，１３及び第２固定接点１４，１５を設けている。
【００１０】
そして、絶縁板１にはノブ６５の操作位置に対応した中立位置Ｎ、第１位置ＭＵ，ＭＤ及び第２位置ＡＵ，ＡＤと、可動接片２の移動範囲に対応した第１領域Ｚ１及び第２領域Ｚ２とを設定している。詳述すると、中立位置Ｎとはノブ６５の位置が中立位置である際の可動接片２の位置であり、第１位置ＭＵ，ＭＤとはノブ６５の操作位置がマニュアル操作位置である際の可動接片２の位置であり、第２位置ＡＵ，ＡＤとはノブ６５の操作位置がオート操作位置である際の可動接片２の位置である。また第１領域Ｚ１とは共通固定接点１１と第１固定接点１２，１３とが並んだ領域であり、第２領域Ｚ２とは共通固定接点１１と第２固定接点１４，１５とが並んだ領域である。
【００１１】
可動接片２は、前記絶縁板１に設定した中立位置Ｎ、第１位置ＭＵ，ＭＤ及び第２位置ＡＵ，ＡＤ間において移動自在であり、かつ前記絶縁板１の第１領域Ｚ１を摺動する第１接片２１と、第２領域Ｚ２を摺動する第２接片２２とを有している。
【００１２】
上記絶縁板１に設けた共通固定接点１１と第１固定接点１２，１３との間には間隔Ｗ１が有り、共通固定接点１１と第２固定接点１４，１５との間には前記間隔Ｗ１よりも広い間隔Ｗ２が有る。また共通固定接点１１は、その第１領域Ｚ１側の幅Ｗ３に比べて第２領域Ｚ２側の幅Ｗ４を広く設定している。これにより、可動接片２は、中立位置Ｎから第１位置ＭＵ，ＭＤへ移動した際に、第１領域Ｚ１側の第１接片２１と第１固定接点１２，１３とが接触し、それと同時に第２領域Ｚ２側の第１接片２１と共通固定接点１１とが接触する。すなわち、可動接片２の共通固定接点１１に対するスイッチ作動は、間隔Ｗ２が広い第２領域Ｚ２側で行われることとなり、可動接片２と共通固定接点１１とが接触した瞬間に発生するアーク放電によって炭化物質等が発生しても、共通固定接点１１と各固定接点１２〜１５との間の絶縁性能が劣化し難い。
【００１３】
次に、上記したものの作動を説明する。まず、図１はノブ６５を操作しない状態であり、可動接片２の移動位置が中立位置Ｎに有る状態を示している。この状態では、可動接片２はいずれの固定接点１１〜１５にも接触していないので、２段階操作スイッチ装置Ｓは基板７に回路形成したコントローラ（図示せず）に操作信号を入力しない。
【００１４】
また、図２はノブ６５をマニュアルダウン位置に操作した状態であり、可動接片２が中立位置Ｎから第１位置ＭＤに移動した状態を示している。この状態では、可動接片２が共通固定接点１１と第１固定接点１２との両方に接触し、両固定接点１１，１２間を橋絡する。これにより、２段階操作スイッチ装置Ｓは基板７に回路形成したコントローラ（図示せず）にマニュアルダウン操作信号を入力する。コントローラは、２段階操作スイッチ装置Ｓから該マニュアルダウン操作信号を入力すると、ウインドレギュレータのアクチュエータを制御し、該マニュアルダウン操作信号が入力される間だけ窓ガラスの開放動作を行う。
【００１５】
また、図３はノブ６５をオートダウン位置に操作した状態であり、可動接片２が中立位置Ｎから第２位置ＡＤに移動した状態を示している。この状態では、可動接片２が共通固定接点１１と第１固定接点１４との両方に接触し、両固定接点１１，１４間を橋絡する。これにより、２段階操作スイッチ装置Ｓは基板７のコントローラにオートダウン操作信号を入力する。コントローラは、２段階操作スイッチ装置Ｓから該オートダウン操作信号を入力すると、ウインドレギュレータのアクチュエータを制御し、該オートダウン操作信号が入力されなく成った後も、窓ガラスが全開するまで窓ガラスの自動開放動作を行う。ただし、この自動開放動作中にノブ６５をマニュアルアップ位置に操作すると、可動接片２が第１固定接点１３に接触し、これにより自動開放動作はキャンセルされて窓ガラスが停止する。また、自動開放動作中にノブ６５をオートアップ位置に操作すると、可動接片２が第２固定接点１５に接触し、これにより窓ガラスが閉鎖側に逆転動作する。
【００１６】
尚、ノブ６５をマニュアルアップ位置やオートアップ位置に操作した場合の作動は上記と同様であり、説明を省略する。ただし、窓ガラスの自動閉鎖動作中にノブ６５をマニュアルダウン位置に操作すると、可動接片２が第１固定接点１２に接触し、これにより自動閉鎖動作はキャンセルされて窓ガラスが停止する。また、自動閉鎖動作中にノブ６５をオートダウン位置に操作すると、可動接片２が第２固定接点１４に接触し、これにより窓ガラスが開放側に逆転動作する。また、自動閉鎖動作中に窓ガラスに異物が挟まれてアクチュエータがロック状態に成った場合には自動閉鎖動作はキャンセルされて、窓ガラスが開放側に逆転動作する。
【００１７】
【発明の効果】
この発明は、上記した構成及び作用を有するので、共通固定接点と各固定接点とが成す間隔が広く成り、共通固定接点と各固定接点との間の絶縁性能を正常に保つことができる。特に、可動接片と共通固定接点との間で行われるスイッチ作動は、間隔が広い第２領域側で行われることとなり、可動接片と共通固定接点とが接触した瞬間に発生するアーク放電によって炭化物質等が発生しても、共通固定接点と各固定接点との間の絶縁性能が劣化し難い効果を奏する。
【図面の簡単な説明】
【図１】この発明の実施形態を示す平面図であり、可動接片の移動位置が中立位置Ｎに有る状態を示している。
【図２】この発明の実施形態を示す平面図であり、可動接片の移動位置が第１位置ＭＤに有る状態を示している。
【図３】この発明の実施形態を示す平面図であり、可動接片の移動位置が第２位置ＡＤに有る状態を示している。
【図４】図１に示す２段階操作スイッチ装置を内蔵したパワーウインドユニットの分解斜視図である。
【符号の説明】
１  絶縁板
２  可動接片
３  操作子
４  カバー
５  ケース
１１  共通固定接点
１２，１３  第１固定接点
１４，１５  第２固定接点
【図１】
0003628423.tif 000002
【図２】
0003628423.tif 000003
【図３】
0003628423.tif 000004
【図４】
0003628423.tif 000005